(57)【要約】【課題】配線が簡単で、空気の流動を高めるとともに、コネクタが電子素子に接触しないパワーサプライを提供する。【解決手段】メインケーブルと、サブケーブルと、外部接続モジュールを具えてなる出力装置を具え、メインケーブルとサブケーブルは電気回路板上で電力を出力する直流ケーブルに接続し、メインケーブルとサブケーブルの電力受信端にはコネクタが設け、外部接続モジュールは基板と、複数の挿入端と、リードとを含んでなり、基板は表面にプリント電気回路を具え、コードを通して電気回路板の電力を出力する直流ケーブルに接続して電力を取り入れ、複数の挿入端が基板上に位置決めされ、背面板に形成された貫通孔から外部に突出し、挿入端とプリント電気回路は電気接続して、それぞれの挿入端が電気を出力するようにするとともに、リードの挿入端に係合する一端にソケットを形成し、他端にコネクタの電力受信端を設ける。【選択図】図２
0003118449.tif 000002
【実用新案登録請求の範囲】
【請求項１】
メインケーブルと、サブケーブルと、外部接続モジュールを具えてなる出力装置を具えてなり、該メインケーブルとサブケーブルは電気回路板上に設けられ電力を出力する直流ケーブルに接続し、メインケーブルの電力受信端には、２０もしくは２４ピンのコネクタが設けられ、サブケーブルの電力受信端には、４ピンを具えたコネクタを設けてなり、該外部接続モジュールは、基板と複数の挿入端と、少なくとも１以上のリードとを含んでなり、基板の表面にはプリント電気回路を具えるとともに、コードを通して電気回路板の電力を出力する直流ケーブルに接続して供給電力を取り入れ、該複数の挿入端は、基板上に位置決めされ、背面板に形成された貫通孔を貫通して外部に突出し、挿入端とプリント電気回路は電気接続して、それぞれの挿入端が独立して電気を出力するようにするとともに、リードの挿入端に係合する一端にソケットが形成され、他端にはコネクタの電力受信端を設け、入力端から交流電力を取り入れ、電気回路板上の電子素子を通して電圧を低減して整流してから出力装置によりコンピュータに必要な電力を供給することを特徴とするパワーサプライ。
【請求項２】
前記挿入端は係合ブロックを形成し、リードと挿入端の係合端には係合耳が設けられているため、係合耳の後端部を押し圧するとリードが挿入端に挿入され、係合耳が係合ブロックに係合して、リードが抜け落ちることを防ぐ構造を特徴とする請求項１に記載するパワーサプライ。
【請求項３】
前記リードは少なくとも１以上のサブリードを設けてサブリードの一端に別のコネクタを設けて電力受信端にすることを特徴とする請求項１もしくは２に記載するパワーサプライ。
【考案の詳細な説明】
【技術分野】
【０００１】
この考案は、パワーサプライに関し、特にパワーサプライの電力出力装置に関する。
【背景技術】
【０００２】
パーソナルコンピュータは通常、少なくともマザーボード、中央処理装置（ＣＰＵ）インタフェイスカード、データ保存素子（ハードディスク、フロッピー（登録商標）（光）ディスクなど）などを具えてなる。
【０００３】
しかしながら、上述した部材が必要な電力はいずれも、コンピュータの後方に設けられているパワーサプライからの供給電力に頼っている。従来のパワーサプライ１（図１参照）は、束にまとめられた出力コード１１を通して電力を提供する。該出力コード１１は、メインケーブル１２と、サブケーブル１３と、複数のケーブル１４などを含んでなる。該メインケーブル１２とサブケーブル１３は、マザーボードと、中央処理装置（ＣＰＵ）インタフェイスカードに電力を供給する。該ケーブル１４は、データの保存素子などに電力を供給できるように両端が複数に分割され、それぞれにコネクタ１５を具えてなる。上述のパワーサプライ１は、出力コード１１を通して電力を供給し、その方法は長年変わらない。
【０００４】
しかしながら、従来のパワーサプライ１は、出力コード１１が束状で無造作にコンピュータの内部に設けられているため、ケーブルが複雑に絡み合い、余分な空間を占める。現在、コンピュータの規格サイズは次第に小型化が求められているとともに、出力コード１１が束状にコンピュータの内部に設けられていることで内部の空気の流れに大きな影響を及ぼし、内部における電子素子の熱の拡散効果が悪くなるため、改善する必要がある。
【考案の開示】
【考案が解決しようとする課題】
【０００５】
この考案は、コンピュータ内の配線の付設が簡単で、単純で、空気の流動を高めることができるパワーサプライを提供することを課題とする。
【０００６】
また、この考案は、露出したコネクタが電子素子に接触して短絡などが発生することを防ぐパワーサプライを提供することを課題とする。
【課題を解決するための手段】
【０００７】
そこで、本考案者は従来の技術に見られる欠点に鑑みて鋭意研究を重ねた結果、メインケーブルと、サブケーブルと、外部接続モジュールを具えてなる出力装置を具えてなり、該メインケーブルとサブケーブルは電気回路板上に設けられ電力を出力する直流ケーブルに接続し、メインケーブルの電力受信端には、２０もしくは２４ピンのコネクタが設けられ、サブケーブルの電力受信端には、４ピンを具えたコネクタを設けてなり、該外部接続モジュールは、基板と複数の挿入端と、少なくとも１以上のリードとを含んでなり、基板の表面にはプリント電気回路を具えるとともに、コードを通して電気回路板の電力を出力する直流ケーブルに接続して供給電力を取り入れ、該複数の挿入端は、基板上に位置決めされ、背面板に形成された貫通孔を貫通して外部に突出し、挿入端とプリント電気回路は電気接続して、それぞれの挿入端が独立して電気を出力するようにするとともに、リードの挿入端に係合する一端にソケットが形成され、他端にはコネクタの電力受信端を設け、入力端から交流電力を取り入れ、電気回路板上の電子素子を通して電圧を低減して整流してから出力装置によりコンピュータに必要な電力を供給するパワーサプライによって本考案の課題を解決できる点に着眼し、かかる知見に基づいて本考案を完成させた。
以下、この考案について具体的に説明する。
【０００８】
請求項１に記載するパワーサプライは、メインケーブルと、サブケーブルと、外部接続モジュールを具えてなる出力装置を具えてなり、該メインケーブルとサブケーブルは電気回路板上に設けられ電力を出力する直流ケーブルに接続し、メインケーブルの電力受信端には、２０もしくは２４ピンのコネクタが設けられ、サブケーブルの電力受信端には、４ピンを具えたコネクタを設けてなり、該外部接続モジュールは、基板と複数の挿入端と、少なくとも１以上のリードとを含んでなり、基板の表面にはプリント電気回路を具えるとともに、コードを通して電気回路板の電力を出力する直流ケーブルに接続して供給電力を取り入れ、該複数の挿入端は、基板上に位置決めされ、背面板に形成された貫通孔を貫通して外部に突出し、挿入端とプリント電気回路は電気接続して、それぞれの挿入端が独立して電気を出力するようにするとともに、リードの挿入端に係合する一端にソケットが形成され、他端にはコネクタの電力受信端を設け、入力端から交流電力を取り入れ、電気回路板上の電子素子を通して電圧を低減して整流してから出力装置によりコンピュータに必要な電力を供給する。
【０００９】
請求項２に記載するパワーサプライは、請求項１における挿入端が係合ブロックを形成し、リードと挿入端の係合端には係合耳が設けられているため、係合耳の後端部を押し圧するとリードが挿入端に挿入され、係合耳が係合ブロックに係合して、リードが抜け落ちることを防ぐ。
【００１０】
請求項３に記載するパワーサプライは、請求項１もしくは２におけるリードが少なくとも１以上のサブリードを設けてサブリードの一端に別のコネクタを設けて電力受信端にする。
【考案の効果】
【００１１】
この考案のパワーサプライは、ケーブルやリードなどの配置が簡単であるため、修理や点検もしくは組み立てが便利であるとともに、内部の空気が滞留することがないため、効果的に熱を拡散することができる効果を有する。
【考案を実施するための最良の形態】
【００１２】
この考案は、パワーサプライの電力出力装置であって、メインケーブルと、サブケーブルと、外部接続モジュールを具えてなる出力装置を具えてなり、該メインケーブルとサブケーブルは電気回路板上に設けられ電力を出力する直流ケーブルに接続し、メインケーブルの電力受信端には、２０もしくは２４ピンのコネクタが設けられ、サブケーブルの電力受信端には、４ピンを具えたコネクタを設けてなり、該外部接続モジュールは、基板と複数の挿入端と、少なくとも１以上のリードとを含んでなり、基板の表面にはプリント電気回路を具えるとともに、コードを通して電気回路板の電力を出力する直流ケーブルに接続して供給電力を取り入れ、該複数の挿入端は、基板上に位置決めされ、背面板に形成された貫通孔を貫通して外部に突出し、挿入端とプリント電気回路は電気接続して、それぞれの挿入端が独立して電気を出力するようにするとともに、リードの挿入端に係合する一端にソケットが形成され、他端にはコネクタの電力受信端を設け、入力端から交流電力を取り入れ、電気回路板上の電子素子を通して電圧を低減して整流してから出力装置によりコンピュータに必要な電力を供給し、ケーブルやリードなどの配置が簡単であるため、修理や点検もしくは組み立てが便利であるとともに、内部の空気が滞留することがないため、効果的に熱を拡散することができるという目的を、実現した。
【実施例】
【００１３】
図２、３に、この考案のパワーサプライを開示する。図面によれば、パワーサプライ２は、入力端から交流電力を取り入れ、電気回路板２１上の電子素子を通して電圧を低減してから整流し、出力装置３を通してコンピュータに電力を供給する。該出力装置３は、メインケーブル３１と、サブケーブル３２と、外部接続モジュール３３とを含んでなる。該メインケーブル３１とサブケーブル３２は、パワーサプライ２の電気回路板２１上に設けられた電力を出力する直流ケーブル２２に接続する。該メインケーブル３１の電力受信端には、２０もしくは２４ピンを具えたコネクタ３１０（図には２４ピンを開示する）を設けてなり、サブケーブル３２の電力受信端には４ピンを具えたコネクタ３２０を設けてなる。該外部接続モジュール３３は、基板３４と、複数の挿入端３５と、少なくとも１以上のリード３６とを含んでなる。該基板３４は表面にプリント電気回路を具えるとともに、コード３７を通して電気回路板２１の電力を出力する直流ケーブル２２に接続して供給電力を取り入れる。該複数の挿入端３５は、基板３４上に位置決めされ、外周縁部に係合ブロック３５１を形成し、パワーサプライ２の背面板２３に形成された貫通孔を貫通して外部に突出する。また、挿入端３５と基板３４上のプリント電気回路は電気接続してそれぞれの挿入端３５が独立して電力を出力するようにするとともに、該リード３６と挿入端３５の係合端がソケット３６ａであり、且つ、係合耳３６１が形成されているため、係合耳３６１の後端部を押し圧することによってリード３６が挿入端３５に挿入され、係合耳３６１が対応する係合ブロック３５１に係合する。また、リード３６の他端にはコネクタ３６０の電力受信端を設ける。
【００１４】
実際には、リード３６は１つのコネクタ３６０を設ける以外に（１つの導線に１つのコネクタを設ける）、少なくとも１以上のサブリード３６２、３６２ａを設けてもよく、サブリード３６２、３６２ａの一端には別のコネクタ３６３、３６３ａを設けて電力受信端（図４参照）にする。よって、リード３６は２組以上のコネクタ３６０、３６３、３６３ａを電力受信端としてデータ保存素子もしくはその他周辺機器に必要な電力を供給することができる。
【００１５】
以上はこの考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００１６】
【図１】従来のパワーサプライを示した斜視図である。
【図２】この考案のパワーサプライの内部を示した分解図である。
【図３】図２に開示するパワーサプライを示した斜視図である。
【図４】この考案のパワーサプライのリードの実施例を示した説明図である。
【符号の説明】
【００１７】
１      パワーサプライ
１１    出力コード
１２    メインケーブル
１３    サブケーブル
１４    ケーブル
１５    コネクタ
２      パワーサプライ
２１    電気回路板
２２    直流ケーブル
２３    背面板
３      出力装置
３１    メインケーブル
３１０  コネクタ
３２    サブケーブル
３２０  コネクタ
３３    外部接続モジュール
３４    基板
３５    挿入端
３５１  係合ブロック
３６    リード
３６ａ  ソケット
３６０  コネクタ
３６１  係合耳
３６２  サブリード
３６２ａサブリード
３６３  コネクタ
３６３ａコネクタ
３７    コード
【図１】
0003118449.tif 000003
【図２】
0003118449.tif 000004
【図３】
0003118449.tif 000005
【図４】
0003118449.tif 000006